(57)【要約】【課題】光ファイバ心線を光ファイバホルダに保持する際に、抗張力繊維の処理を容易に且つ品質良く行うことができる光ファイバホルダを提供する。【解決手段】  光ファイバホルダ１はホルダ本体６を備え、このホルダ本体６には、光ファイバコードの先端部分のコード外被を除去して露出された光ファイバ心線を位置決め収容するファイバ収容溝７と、コード外被を収容するコード収容溝８とが形成されている。ホルダ本体６には、コード保持蓋１２及びファイバ押さえ蓋１３が開閉可能に取り付けられている。コード保持蓋１２の裏面側には、コード収容溝８と協働して、光ファイバコードを挿通させるための断面円形状の挿通穴を形成するコード収容溝１５が形成されている。挿通穴の径は、コード外被よりも僅かに大きくなっている。ファイバ押さえ蓋１３は、ファイバ収容溝７に収容された光ファイバ心線をホルダ本体６に対して押さえる蓋である。【選択図】図１
2011128544.tif 000002
【特許請求の範囲】
【請求項１】
抗張力繊維が内蔵された光ファイバコードの光ファイバ心線を保持するための光ファイバホルダにおいて、
前記光ファイバコードの先端部分のコード外被を除去して露出された前記光ファイバ心線を収容するファイバ収容溝を有するホルダ本体部と、
前記光ファイバコードの前記コード外被を収容する第１コード収容溝を有するコード保持ベース部と、
前記ホルダ本体部に開閉可能に取り付けられ、前記第１コード収容溝と協働して、前記光ファイバコードを挿通させる挿通穴を形成する第２コード収容溝を有するコード保持蓋と、
前記ホルダ本体部に開閉可能に取り付けられ、前記ファイバ収容溝に収容された前記光ファイバ心線を前記ホルダ本体部に対して押さえるファイバ押さえ蓋とを備え、
前記挿通穴は、前記光ファイバコードが挿通する際に、前記光ファイバ心線と共に露出した状態の前記抗張力繊維が前記挿通穴を形成する前記コード保持ベース部及び前記コード保持蓋の内壁面に接触するような形状及び寸法を有していることを特徴とする光ファイバホルダ。
【請求項２】
前記コード保持ベース部は、前記ホルダ本体部と一体化されていることを特徴とする請求項１記載の光ファイバホルダ。
【請求項３】
前記コード保持ベース部は、前記コード保持蓋とは独立して前記ホルダ本体部に開閉可能に取り付けられていることを特徴とする請求項１記載の光ファイバホルダ。
【請求項４】
抗張力繊維が内蔵された光ファイバコードの光ファイバ心線を保持する光ファイバ心線の保持方法において、
請求項１〜３のいずれか一項記載の光ファイバホルダを用意する工程と、
前記光ファイバコードの先端部分のコード外被を除去して、前記光ファイバ心線及び前記抗張力繊維を露出させる工程と、
前記コード保持ベース部及び前記コード保持蓋により前記挿通穴を形成した状態で、前記挿通穴に前記光ファイバコードを挿通させて、前記光ファイバ心線を前記ファイバ収容溝に収容する工程と、
前記ファイバ押さえ蓋によって前記光ファイバ心線を前記ホルダ本体部に対して押さえる工程とを含むことを特徴とする光ファイバ心線の保持方法。
【発明の詳細な説明】
【技術分野】
【０００１】
本発明は、抗張力繊維が内蔵された光ファイバコードの光ファイバ心線を保持するための光ファイバホルダ及び光ファイバ心線の保持方法に関するものである。
【背景技術】
【０００２】
従来の光ファイバホルダとしては、例えば特許文献１に記載されているものが知られている。特許文献１に記載の光ファイバホルダは、ホルダ本体と、このホルダ本体に開閉可能に取り付けられた２つの蓋体とからなっている。ホルダ本体には、光ファイバコードの露出された光ファイバ心線を位置決め収容する調心溝と、光ファイバコードのコード部を収容するコード部用溝と、調心溝とコード部用溝との間に位置し、光ファイバ心線の周囲の抗張力繊維を引き出すための溝状の空間部とが設けられている。一方の蓋体は、調心溝に収容された光ファイバ心線を狭持するものであり、他方の蓋体は、コード部用溝に収容されたコード部を狭持するものである。
【先行技術文献】
【特許文献】
【０００３】
【特許文献１】特許第３５４２００８号
【発明の概要】
【発明が解決しようとする課題】
【０００４】
上記従来技術においては、光ファイバ心線を光ファイバホルダに保持する際に、ホルダ本体に形成された空間部の両側から抗張力繊維を引き出して後方に引き回す。しかし、光ファイバ心線の周囲に隙間無く設けられた抗張力繊維を光ファイバ心線から選り分けて狭い空間部から引き出す作業は、かなりの手間がかかるため、作業時間が長くなってしまう。また、抗張力繊維の引き出しは作業者の手作業によって実施されるため、作業者のスキルにより品質のばらつきが生じる。例えば光ファイバ心線同士を融着接続する場合には、作業者のスキルが低いと、抗張力繊維が融着放電による高温で燃焼したり、抗張力繊維が融着接続部に触れたりして、光ファイバ心線の接続品質を低下させる可能性がある。
【０００５】
本発明の目的は、光ファイバ心線を光ファイバホルダに保持する際に、抗張力繊維の処理を容易に且つ品質良く行うことができる光ファイバホルダ及び光ファイバ心線の保持方法を提供することである。
【課題を解決するための手段】
【０００６】
本発明は、抗張力繊維が内蔵された光ファイバコードの光ファイバ心線を保持するための光ファイバホルダにおいて、光ファイバコードの先端部分のコード外被を除去して露出された光ファイバ心線を収容するファイバ収容溝を有するホルダ本体部と、光ファイバコードのコード外被を収容する第１コード収容溝を有するコード保持ベース部と、ホルダ本体部に開閉可能に取り付けられ、第１コード収容溝と協働して、光ファイバコードを挿通させる挿通穴を形成する第２コード収容溝を有するコード保持蓋と、ホルダ本体部に開閉可能に取り付けられ、ファイバ収容溝に収容された光ファイバ心線をホルダ本体部に対して押さえるファイバ押さえ蓋とを備え、挿通穴は、光ファイバコードが挿通する際に、光ファイバ心線と共に露出した状態の抗張力繊維が挿通穴を形成するコード保持ベース部及びコード保持蓋の内壁面に接触するような形状及び寸法を有していることを特徴とするものである。
【０００７】
以上のような本発明の光ファイバホルダに光ファイバ心線を保持するときは、光ファイバコードの先端部分のコード外被を除去して、光ファイバ心線及び抗張力繊維を露出させる。その状態で、コード保持ベース部の第１コード収容溝とコード保持蓋の第２コード収容溝との協働により形成される挿通穴に光ファイバコードを挿通させて、光ファイバ心線をホルダ本体部のファイバ収容溝に収容する。そして、ファイバ押さえ蓋によって光ファイバ心線をホルダ本体部に対して押さえる。
【０００８】
ここで、挿通穴は、光ファイバコードが挿通する際に、挿通穴を形成するコード保持ベース部及びコード保持蓋の内壁面に露出状態の抗張力繊維が接触するような形状及び寸法を有している。このため、光ファイバコードを挿通穴に挿通させると、露出状態の抗張力繊維は、コード保持ベース部及びコード保持蓋の内壁面に接触して挿通方向の反対側に倣い、コード外被の周囲に配置されるようになる。このように光ファイバコードを挿通穴に挿通させるだけで、露出状態の抗張力繊維がコード外被の周囲に来るようにガイドされるので、抗張力繊維の処理を簡単に且つ作業者のスキルによらずに品質良く行うことができる。
【０００９】
好ましくは、コード保持ベース部は、ホルダ本体部と一体化されている。この場合には、光ファイバホルダの部品点数を削減し、光ファイバホルダの構造を簡素化することができる。
【００１０】
また、コード保持ベース部は、コード保持蓋とは独立してホルダ本体部に開閉可能に取り付けられている構成であっても良い。このような構成では、コード保持ベース部とコード保持蓋とにより挿通穴を形成した状態で、コード保持ベース部及びコード保持蓋をホルダ本体部に対して開くことにより、挿通穴はホルダ本体部から離れた位置に存在するようになる。この場合には、例えば光ファイバコードの光ファイバ心線を端末処理して裸ファイバを露出させた状態で、光ファイバコードを挿通穴に挿通させたときに、裸ファイバの先端がホルダ本体部に接触することを防止できる。
【００１１】
また、本発明は、抗張力繊維が内蔵された光ファイバコードの光ファイバ心線を保持する光ファイバ心線の保持方法において、上述した光ファイバホルダを用意する工程と、光ファイバコードの先端部分のコード外被を除去して、光ファイバ心線及び抗張力繊維を露出させる工程と、コード保持ベース部及びコード保持蓋により挿通穴を形成した状態で、挿通穴に光ファイバコードを挿通させて、光ファイバ心線をファイバ収容溝に収容する工程と、ファイバ押さえ蓋によって光ファイバ心線をホルダ本体部に対して押さえる工程とを含むことを特徴とするものである。
【００１２】
このような光ファイバ心線の保持方法においては、上記の光ファイバホルダを用いることにより、上述したように光ファイバ心線及び抗張力繊維が露出している状態の光ファイバコードを挿通穴に挿通させるだけで、露出状態の抗張力繊維がコード外被の周囲に来るようにガイドされる。これにより、抗張力繊維の処理を簡単に且つ作業者のスキルによらずに品質良く行うことができる。
【発明の効果】
【００１３】
本発明によれば、光ファイバ心線を光ファイバホルダに保持する際に、抗張力繊維の処理を容易に且つ品質良く行うことができる。これにより、作業者の作業負担を軽減することが可能となる。また、作業時間を短縮し、作業効率を向上させることが可能となる。
【図面の簡単な説明】
【００１４】
【図１】本発明に係わる光ファイバホルダの第１実施形態の外観を示す斜視図である。
【図２】図１に示した光ファイバホルダに組み付けられる光ファイバコードの構造を示す斜視図である。
【図３】図１に示した光ファイバホルダに光ファイバコードの光ファイバ心線を保持する手順を示す斜視図である。
【図４】図１に示した光ファイバホルダに光ファイバコードの光ファイバ心線を保持する手順を示す斜視図である。
【図５】図１に示した光ファイバホルダに光ファイバコードの光ファイバ心線を保持する手順を示す斜視図である。
【図６】図１に示した光ファイバホルダから光ファイバコードを取り出す手順を示す斜視図である。
【図７】図１に示した光ファイバホルダから光ファイバコードを取り出す手順を示す斜視図である。
【図８】本発明に係わる光ファイバホルダの第２実施形態の外観を示す斜視図である。
【図９】図８に示した光ファイバホルダを底面側から見た外観を示す斜視図である。
【図１０】図８に示した光ファイバホルダに光ファイバコードの光ファイバ心線を保持する手順を示す斜視図である。
【図１１】図８に示した光ファイバホルダに光ファイバコードの光ファイバ心線を保持する手順を示す斜視図である。
【図１２】図８に示した光ファイバホルダに光ファイバコードの光ファイバ心線を保持する手順を示す斜視図である。
【図１３】図８に示した光ファイバホルダに光ファイバコードの光ファイバ心線を保持する手順を示す斜視図である。
【図１４】図８に示した光ファイバホルダに光ファイバコードの光ファイバ心線を保持する手順を示す斜視図である。
【図１５】図８に示した光ファイバホルダに光ファイバコードの光ファイバ心線を保持する手順を示す斜視図である。
【図１６】図８に示した光ファイバホルダから光ファイバコードを取り出す手順を示す斜視図である。
【図１７】図８に示した光ファイバホルダから光ファイバコードを取り出す手順を示す斜視図である。
【発明を実施するための形態】
【００１５】
以下、本発明に係わる光ファイバホルダ及び光ファイバ心線の保持方法の好適な実施形態について、図面を参照して詳細に説明する。
【００１６】
図１は、本発明に係わる光ファイバホルダの第１実施形態の外観を示す斜視図である。同図において、本実施形態の光ファイバホルダ１は、例えば異なる光ファイバコードの光ファイバ心線同士を融着接続する際に、光ファイバ心線を保持するものである。
【００１７】
図２は、光ファイバホルダ１に組み付けられる光ファイバコードの構造を示す斜視図である。図２において、光ファイバコード２は、裸ファイバ３ａを樹脂で覆ってなる光ファイバ心線３と、この光ファイバ心線３の周囲を覆うコード外被４と、光ファイバ心線３とコード外被４との間に介在された抗張力繊維５とからなっている。光ファイバ心線３の直径は、０．２５〜０．９０ｍｍ程度である。コード外被４の直径は、２〜５ｍｍ程度である。コード外被４の材質は、ＰＶＣ（ポリ塩化ビニル）等である。抗張力繊維５としては、例えばケブラー（芳香族ポリアミド系樹脂の登録商標）が用いられる。
【００１８】
図１に戻り、光ファイバホルダ１は、略直方体状を有するホルダ本体６を備えている。ホルダ本体６には、光ファイバコード２の先端部分のコード外被４を除去して露出された光ファイバ心線３を位置決め収容する断面Ｖ次状のファイバ収容溝７と、コード外被４を収容する断面半円形状のコード収容溝８とが連続的に形成されている。
【００１９】
また、ホルダ本体６におけるコード収容溝８の後側（コード収容溝８に対してファイバ収容溝７の反対側）には、コード収容溝８よりも径の大きい断面半円形状のコード導入溝９が形成されている。ホルダ本体６におけるコード収容溝８とコード導入溝９との間には、コード導入溝９からコード収容溝８に向かって先細りとなるテーパ溝１０が形成されている。なお、ホルダ本体６においてコード収容溝８及びテーパ溝１０を含む領域は、コード保持ベース部１１を構成している。
【００２０】
ホルダ本体６には、金属製のコード保持蓋１２及びファイバ押さえ蓋１３がホルダ本体６の一側面側に設けられた軸部１４を介して回動（開閉）可能に取り付けられている。
【００２１】
コード保持蓋１２の裏面側には、ホルダ本体６のコード収容溝８に対応する断面半円形状のコード収容溝１５と、ホルダ本体６のテーパ溝１０に対応するテーパ溝１６とが形成されている。
【００２２】
コード収容溝１５及びテーパ溝１６は、図３に示すように、コード保持蓋１２をホルダ本体６に対して閉じたときに、コード収容溝８及びテーパ溝１０と協働して、光ファイバコード２を挿通させるための断面円形状の挿通穴１７を形成している。挿通穴１７は、コード収容溝８，１５により形成される等径穴部１７ａと、テーパ溝１０，１６により形成されるテーパ穴部１７ｂとからなっている。
【００２３】
等径穴部１７ａの径は、光ファイバコード２のコード外被４よりも僅かに大きくなっている。具体的には、等径穴部１７ａは、光ファイバコード２を通したときに、光ファイバ心線３と共に露出した状態の抗張力繊維５が挿通穴１７を形成するホルダ本体６（コード保持ベース部１１）及びコード保持蓋１２の内壁面に接触するような径を有している。例えばコード外被４の直径が３ｍｍの場合には、等径穴部１７ａの直径は３．４ｍｍ程度である。
【００２４】
ファイバ押さえ蓋１３は、ホルダ本体６のファイバ収容溝７に収容された光ファイバ心線３をホルダ本体６に対して押さえる蓋である。ファイバ押さえ蓋１３の裏面には、ホルダ本体６のコード収容溝８に対応する断面矩形状の溝部１８が形成されている。また、ファイバ押さえ蓋１３の裏面には、光ファイバ心線３にダメージを与えずに光ファイバ心線３を十分に押さえ付けるためのゴム１９が装着されている。
【００２５】
ホルダ本体６の他側面側には、金属製のコード保持蓋１２及びファイバ押さえ蓋１３を吸着するための磁石２０が埋設されている。これにより、コード保持蓋１２及びファイバ押さえ蓋１３がホルダ本体６に対して閉じられたときに、コード保持蓋１２及びファイバ押さえ蓋１３がホルダ本体６に簡単かつ確実に固定される。
【００２６】
次に、光ファイバコード２の光ファイバ心線３を融着接続する際に、上述した光ファイバホルダ１に光ファイバコード２の光ファイバ心線３を保持する方法について説明する。
【００２７】
まず、光ファイバコード２の先端部分のコード外被４を除去して、光ファイバ心線３及び抗張力繊維５を露出させる。このとき、光ファイバ心線３及び抗張力繊維５の露出長は、例えば３０〜４０ｍｍ程度である。
【００２８】
続いて、光ファイバホルダ１において、コード保持蓋１２及びファイバ押さえ蓋１３が開いている状態（図１参照）から、図３に示すように、コード保持蓋１２をホルダ本体６に対して閉じることで、断面円形状の挿通穴１７を形成する。
【００２９】
続いて、図４に示すように、光ファイバコード２をホルダ本体６のコード導入溝９側から挿通穴１７に挿通させる。このとき、挿通穴１７の後側にはテーパ穴部１７ｂが形成されているため、光ファイバコード２を挿通穴１７に容易に挿入することができる。
【００３０】
光ファイバコード２を挿通穴１７に挿通させると、露出状態の柔軟な抗張力繊維５は、図４に示すように、挿通穴１７を形成するホルダ本体６及びコード保持蓋１２の内壁面に当たって自然に後方に倣うようにガイドされる。このため、露出状態の抗張力繊維５は、コード外被４の周囲に配置されるようになり、露出状態の光ファイバ心線３と一緒に挿通穴１７から突出することは無い。このとき、予め露出状態の抗張力繊維５を光ファイバコード２の後側（コード外被４側）にある程度引き回しておき、その状態で光ファイバコード２を挿通穴１７に挿通させるようにするのが望ましい。
【００３１】
そして、図４に示すように、光ファイバコード２のコード外被４を挿通穴１７から突出させ、ホルダ本体６のファイバ収容溝７に光ファイバ心線３を載せる。このとき、ホルダ本体６におけるファイバ収容溝７とコード収容溝８との境界部（ファイバ収容溝７の後端）を形成する壁面に、コード外被４の先端を突き当てるようにする。
【００３２】
続いて、図５に示すように、ファイバ押さえ蓋１３をホルダ本体６に対して閉じる。これにより、光ファイバ心線３がファイバ押さえ蓋１３によりホルダ本体６に対して押さえられる。
【００３３】
その後、光ファイバ心線３の終端部分（先端部分）の被覆を除去して、裸ファイバ３ａを露出させ、この裸ファイバ３ａの端面を専用のカッタで鏡面状に切断する（図２参照）。そして、このような光ファイバ心線３を保持した２組の光ファイバホルダ１を、互いに対向するように融着機（図示せず）にセットし、各光ファイバ心線３の裸ファイバ３ａ同士を融着接続する。このとき、露出状態の抗張力繊維５は、露出状態の光ファイバ心線３の後方に引き回されてコード外被４の周囲に存在しているので、融着放電による高温の影響を受けて燃焼したり、融着接続部に接触することが無い。従って、融着接続の品質を低下させることが防止される。
【００３４】
融着接続処理が完了した後、図６に示すように、コード保持蓋１２及びファイバ押さえ蓋１３を開く。そして、図７に示すように、相手側の光ファイバコード（図示せず）と融着接続された光ファイバコード２をホルダ本体６から取り出す。
【００３５】
以上のように本実施形態にあっては、光ファイバホルダ１に光ファイバコード２を組み付ける際に、コード保持蓋１２をホルダ本体６に対して閉じた状態で、光ファイバコード２を挿通穴１７に挿通させると、露出状態の抗張力繊維５は、挿通穴１７を形成するホルダ本体６及びコード保持蓋１２の内壁面に接触して自然に後方に倣い、コード外被４の周囲に来るようになる。これにより、光ファイバコード２の融着接続時に必要となる抗張力繊維５の処理を、容易に且つ品質良く行うことができる。その結果、作業時間を短縮し、作業効率を向上させることが可能となる。
【００３６】
また、抗張力繊維５の処理に特別なスキルや熟練を必要としないので、抗張力繊維５の処理が作業者のスキル等の個人差に影響されることが無い。これにより、光ファイバコード２の融着接続を行うときに、接続品質を安定化させることができる。
【００３７】
図８は、本発明に係わる光ファイバホルダの第２実施形態の外観を示す斜視図であり、図９は、図８に示した光ファイバホルダを底面側から見た外観を示す斜視図である。図中、第１実施形態と同一の部材には同じ符号を付し、その説明を省略する。
【００３８】
各図において、本実施形態の光ファイバホルダ３０は、略直方体状を有するホルダ本体３１を備えている。ホルダ本体３１の一端部には、光ファイバコード２（図２参照）の露出した光ファイバ心線３を位置決め収容する断面Ｖ次状のファイバ収容溝３２が形成され、ホルダ本体３１の他端側部分には、断面半円形状のコード導入溝３３が形成されている。
【００３９】
ホルダ本体３１には、コード保持ベース３４がホルダ本体３１の一側面側に設けられた軸部３５を介して回動（開閉）可能に取り付けられている。コード保持ベース３４は、ストッパ手段（図示せず）によってホルダ本体３１に対して所定の角度（例えば３０度）までしか開かないように構成されている（図１１参照）。
【００４０】
コード保持ベース３４は、ホルダ本体３１に対して閉じた状態では、ファイバ収容溝３２とコード導入溝３３との間に配置される。コード保持ベース３４には、ファイバ収容溝３２側に位置し、光ファイバコード２のコード外被４を収容する断面半円形状のコード収容溝３６と、コード導入溝３３側に位置し、コード導入溝３３からコード収容溝３６に向かって先細りとなるテーパ溝３７とが形成されている。
【００４１】
また、ホルダ本体３１には、金属製のコード保持蓋３８及びファイバ押さえ蓋３９が軸部３５を介して回動（開閉）可能に取り付けられている。
【００４２】
コード保持蓋３８の裏面側には、ホルダ本体３１のコード収容溝３６に対応する断面半円形状のコード収容溝４０と、ホルダ本体３１のテーパ溝３７に対応するテーパ溝４１とが形成されている。コード収容溝４０及びテーパ溝４１は、図１０に示すように、コード収容溝３６及びテーパ溝３７と協働して、光ファイバコード２を挿通させるための断面円形状の挿通穴４２を形成している。なお、挿通穴４２の径は、上述した第１実施形態における挿通穴１７と同様である。コード保持蓋３８の上面には、段差部４３が設けられている。
【００４３】
ファイバ押さえ蓋３９は、ホルダ本体３１のファイバ収容溝３２に収容された光ファイバ心線３をホルダ本体３１に対して押さえる蓋である。ファイバ押さえ蓋３９の裏面には、断面矩形状の溝部４４が形成されている。また、ファイバ押さえ蓋３９の裏面には、上記のゴム１９が装着されている。さらに、ファイバ押さえ蓋３９の裏面の先端部には、コード保持蓋３８の段差部４３と係合する段差部４５が設けられている。
【００４４】
ホルダ本体３１の他側面側には、金属製のコード保持蓋３８及びファイバ押さえ蓋３９を吸着するための上記磁石２０が埋設されている。
【００４５】
次に、光ファイバコード２の光ファイバ心線３を融着接続する際に、上述した光ファイバホルダ３０に光ファイバコード２の光ファイバ心線３を保持する方法について説明する。
【００４６】
まず、光ファイバコード２の先端部分のコード外被４を除去して、光ファイバ心線３及び抗張力繊維５を露出させる。そして、光ファイバ心線３の終端部分の被覆を除去して裸ファイバ３ａを露出させ、更に裸ファイバ３ａの端面を鏡面状に切断する。このとき、光ファイバ心線３の露出長は、例えば１５ｍｍ程度であり、そのうち裸ファイバ３ａの露出長は、例えば１０ｍｍ程度である。なお、抗張力繊維５の露出長は、例えば３０〜４０ｍｍ程度である。
【００４７】
続いて、光ファイバホルダ３０において、コード保持ベース３４が閉じており、コード保持蓋３８及びファイバ押さえ蓋３９が開いている状態（図８参照）から、図１０に示すように、コード保持蓋３８をホルダ本体３１に対して閉じることで、断面円形状の挿通穴４２を形成する。
【００４８】
続いて、ホルダ本体３１の底面側からコード保持ベース３４を手で押し付けることで、図１１に示すように、コード保持ベース３４をコード保持蓋３８と一緒にホルダ本体３１に対して開く。このとき、コード保持ベース３４及びコード保持蓋３８を、ストッパ手段（図示せず）により止まる位置まで開くようにする。
【００４９】
続いて、図１２に示すように、例えば一方の手でホルダ本体３１の底面側からコード保持ベース３４を押さえながら、他方の手で光ファイバコード２をコード導入溝３３側から挿通穴４２に挿通させる。このとき、露出状態の抗張力繊維５は、上述したように挿通穴４２を形成するコード保持ベース３４及びコード保持蓋３８の内壁面に当たって自然に後方に倣うようにガイドされるため、コード外被４の周囲に配置されるようになる。
【００５０】
そして、光ファイバコード２のコード外被４が挿通穴４２から突出したら、図１３に示すように、コード保持ベース３４を手から放すことで、コード保持ベース３４及びコード保持蓋３８がホルダ本体３１に対して閉じられる。すると、ホルダ本体３１のファイバ収容溝３２に光ファイバ心線３が載置されるようになる。続いて、図１４に示すように、ホルダ本体３１におけるファイバ収容溝３２の後端を形成する壁面に、コード外被４の先端を突き当てる。
【００５１】
続いて、図１５に示すように、ファイバ押さえ蓋３９をホルダ本体３１に対して閉じることで、光ファイバ心線３をファイバ押さえ蓋３９により押さえる。このとき、コード保持蓋３８の段差部４３上にファイバ押さえ蓋３９の段差部４５が載っかった状態となる。
【００５２】
その後、光ファイバ心線３を保持した２組の光ファイバホルダ３０を、互いに対向するように融着機（図示せず）にセットし、各光ファイバ心線３の裸ファイバ３ａ同士を融着接続する。
【００５３】
融着接続処理が完了した後、図１６に示すように、コード保持蓋３８及びファイバ押さえ蓋３９を開く。このとき、ファイバ押さえ蓋３９の段差部４５がコード保持蓋３８の段差部４３の上に載っかった状態となっているので、コード保持蓋３８を開くと、ファイバ押さえ蓋３９がコード保持蓋３８に押されて開くようになる。なお、ファイバ押さえ蓋３９を開いてから、コード保持蓋３８を開いても勿論構わない。
【００５４】
そして、図１７に示すように、相手側の光ファイバコード（図示せず）と融着接続された光ファイバコード２をホルダ本体３１から取り出す。
【００５５】
以上のような本実施形態においては、光ファイバコード２を光ファイバホルダ３１に組み付ける際に、コード保持ベース３４及びコード保持蓋３８により挿通穴４２を形成した状態で、コード保持ベース３４及びコード保持蓋３８をホルダ本体３１に対して開くことで、挿通穴４２がホルダ本体３１から離れて位置するようになる。従って、光ファイバコード２を挿通穴４２に挿通させるときに、光ファイバコード２の先端部に設けられた露出状態の裸ファイバ３ａがホルダ本体３１に触れることが防止される。これにより、光ファイバ心線３を事前に端末処理した場合でも、高品質の融着接続を安定して実現することができる。
【００５６】
なお、本発明は、上記実施形態に限定されるものではない。例えば上記実施形態では、コード収容溝８，１５またはコード収容溝３６，４０の何れも、断面半円形状をなすものとしたが、これらのコード収容溝の形状については、特に断面半円形状に限られず、互いに対向するコード収容溝の協働により形成される挿通穴の形状が断面円形状になるものであれば良い。また、挿通穴の形状についても、必ずしも断面円形状には限られるものではない。
【符号の説明】
【００５７】
１…光ファイバホルダ、２…光ファイバコード、３…光ファイバ心線、４…コード外被、５…抗張力繊維、６…ホルダ本体（ホルダ本体部）、７…ファイバ収容溝、８…コード収容溝（第１コード収容溝）、１１…コード保持ベース部、１２…コード保持蓋、１３…ファイバ押さえ蓋、１５…コード収容溝（第２コード収容溝）、１７…挿通穴、３０…光ファイバホルダ、３１…ホルダ本体（ホルダ本体部）、３２…ファイバ収容溝、３４…コード保持ベース（コード保持ベース部）、３６…コード収容溝（第１コード収容溝）、３８…コード保持蓋、３９…ファイバ押さえ蓋、４０…コード収容溝（第２コード収容溝）、４２…挿通穴。
【図１】
2011128544.tif 000003
【図２】
2011128544.tif 000004
【図３】
2011128544.tif 000005
【図４】
2011128544.tif 000006
【図５】
2011128544.tif 000007
【図６】
2011128544.tif 000008
【図７】
2011128544.tif 000009
【図８】
2011128544.tif 000010
【図９】
2011128544.tif 000011
【図１０】
2011128544.tif 000012
【図１１】
2011128544.tif 000013
【図１２】
2011128544.tif 000014
【図１３】
2011128544.tif 000015
【図１４】
2011128544.tif 000016
【図１５】
2011128544.tif 000017
【図１６】
2011128544.tif 000018
【図１７】
2011128544.tif 000019